(57)【要約】【課題】容易にプレイできないようなスポーツについて、簡易的・擬似的にプレイすることを可能ならしめ、もってスポーツの振興に寄与することができるスポーツ用具の提供を図る。【解決手段】所定形状からなるベースボール用バットの打撃部を構成する先端部の所定側面箇所を先端から所定長さ・幅及び深さだけ切り欠いて平面部を形成して成るバットと、略円形若しくは多角形を成す底面板の周辺に上方内側斜め方向へ略軟質の返し部が設けられて成るホールと、略球形であって、木製・樹脂製・金属製等の任意の素材から成るボールと、から構成されるベースボール風グランドゴルフ用具セットである。なお、ボールを打つ際に該ボールを載置するためのティが組み合わされている構成も考え得る。【選択図】図１
0003173313.tif 000002
【実用新案登録請求の範囲】
【請求項１】
バットと、ホールと、ボールと、から成るグランドゴルフ用具セットであって、
バットは、所定形状からなるベースボール用バットの打撃部を構成する先端部の所定側面箇所を先端から所定長さ・幅及び深さだけ切り欠いて平面部を形成して成り、
ホールは、略円形若しくは多角形を成す底面板の周辺に上方内側斜め方向へ略軟質の返し部が設けられて成り、
ボールは、略球形であって、木製・樹脂製・金属製等の任意の素材から成り、
ベースボールグランドのベース位置など所定の位置に前記ホールを設置した状態において、プレイヤーが所定打席から前記バットを使って該ホールに向けて前記ボールを打つことで、該ホールにボールをホールインさせることを特徴とするベースボール風グランドゴルフ用具セット。
【請求項２】
前記ベースボール風グランドゴルフ用具セットにおいて、
前記ボールを打つ際に該ボールを載置するためのティが組み合わされていることを特徴とする請求項１に記載のベースボール風グランドゴルフ用具セット。
【請求項３】
前記ベースボール風グランドゴルフ用具セットにおいて、
前記バットの平面部に、エポキシ樹脂がコーティングされていることを特徴とする請求項１または請求項２に記載のベースボール風グランドゴルフ用具セット。
【請求項４】
前記ベースボール風グランドゴルフ用具セットにおいて、
前記バットの平面部における先端部所定範囲が、強化プラスチックにより被覆されていることを特徴とする請求項１から請求項３のいずれかに記載のベースボール風グランドゴルフ用具セット。
【請求項５】
前記ベースボール風グランドゴルフ用具において、
前記ホールに上方鉛直方向へポールが立設されていることを特徴とする請求項１から請求項４のいずれかに記載のベースボール風グランドゴルフ用具。
【考案の詳細な説明】
【技術分野】
【０００１】
本考案は、グランドゴルフ用具に関し、詳しくは、ベースボール風に競技を行うためのグランドゴルフ用具に関するものである。
【背景技術】
【０００２】
ベースボールは、あるルールのもと、ピッチャーが投げたボールをバッターが打ち返すという球技であり、古来よりプロやアマチュアを問わず、多くの人たちに愛好され、観戦スポーツとして、そして、実践スポーツとして日本乃至世界中に普及している。
【０００３】
しかしながら、従来のベースボールは、競技として非常に面白く、多くの人々に興味を抱かせる反面、バッターがピッチャーの投げたボールすなわち動いているボールを打つ必要があることから、実際のプレイでは難しい側面があるため、あらゆる人がプレイできるものではなく、その競技人口は特定の愛好家に限られてしまっているのが現状である。
【０００４】
一方、グランドゴルフなるスポーツが、高齢者向けに考案されている。すなわち、該グランドゴルフは、専用のクラブ、ボールを使用して、該ボールをホールポストに向けてクラブで打ち、その打数を競うというスポーツであって、その競技のし易さや、ルールの簡明さから、高齢者だけでなく若年層に至るまで、広く普及しつつある。
そして、打数を競うというプレイスタイルは、ゴルフにも似た側面があるため、該ゴルフをプレイできない人にとって、あたかもゴルフをプレイしているような雰囲気を味わうことができる。
【０００５】
このように、ベースボールなどのように普段では容易にプレイできないようなスポーツについて、簡易的・擬似的にプレイすることが可能となるのであれば、それはプレイヤーにとって喜びとなり、該スポーツの振興に役立つものと考えられる。
【０００６】
【特許文献１】特開２００５−３３４０２６号公報
【特許文献２】特開平１１−２６７２５８号公報
【特許文献３】実開平５−１３４７８号公報
【特許文献４】登録実用新案第３１３１３７７号公報
【特許文献５】登録実用新案第３０９６０７７号公報
【特許文献６】登録実用新案第３０９５４７２号公報
【考案の開示】
【考案が解決しようとする課題】
【０００７】
そこで、本考案は、上記事情に鑑みてなされたものであり、容易にプレイできないようなスポーツについて、簡易的・擬似的にプレイすることを可能ならしめ、もってスポーツの振興に寄与することができるスポーツ用具を提供することを課題としている。
【課題を解決するための手段】
【０００８】
このような課題を解決するために、請求項１に係る考案は、所定形状からなるベースボール用バットの打撃部を構成する先端部の所定側面箇所を先端から所定長さ・幅及び深さだけ切り欠いて平面部を形成して成るバットと、略円形若しくは多角形を成す底面板の周辺に上方内側斜め方向へ略軟質の返し部が設けられて成るホールと、略球形であって、木製・樹脂製・金属製等の任意の素材から成るボールと、から構成されるベースボール風グランドゴルフ用具セットである。
【０００９】
また、請求項２に係る考案は、前記ボールを打つ際に該ボールを載置するためのティが組み合わされている構成となっている。
【００１０】
さらに、請求項３に係る考案は、前記バットの平面部に、エポキシ樹脂がコーティングされている構成となっている。
【００１１】
そしてまた、請求項４に係る考案は、前記バットの平面部における先端部所定範囲が、強化プラスチックにより被覆されている構成となっている。
【００１２】
そしてさらに、請求項５に係る考案は、前記ホールに上方鉛直方向へポールが立設されている構成となっている。
【考案の効果】
【００１３】
本考案に係るベースボール風グランドゴルフ用具セットによれば、グランドゴルフと同じ要領で簡易的にプレイすることができ、しかもベースボールの要素を組み込むことで、高齢者等にとってプレイ困難な当該ベースボールについて、容易かつ擬似的にプレイすることが可能となる。
【００１４】
そしてまた、本考案に係るベースボール風グランドゴルフ用具セットは、各用具の大きさ等を変更することで難易度を自由に設定することも可能であって、レジャースポーツとして難易度を下げたり、競技用スポーツとして難易度を上げたりすることもでき、限られたプレイヤーのみならず、年齢層や熟練度を問わずに幅広いプレイヤーが楽しんでプレイすることが可能である。
【図面の簡単な説明】
【００１５】
【図１】本考案に係るベースボール風グランドゴルフ用具セットの全構成を示す説明図である。
【図２】本考案に係るバットの実施形態を示す部分断面図である。
【図３】本考案に係るホールの実施形態を示す部分断面図である。
【図４】本考案に係るベースボール風グランドゴルフ用具セットの使用態様を示す説明図である。
【図５】本考案に係るベースボール風グランドゴルフ用具セットの使用態様を示す説明図である。
【考案を実施するための最良の形態】
【００１６】
以下、本考案に係るベースボール風グランドゴルフ用具セットの実施形態について、図面を参照しながら説明する。
なお、本考案は、下記の実施形態に示した構成に特に限定されるものではなく、本考案の技術的思想の要旨に逸脱しない範囲で、任意に変更することができるものである。
【００１７】
図１は、本考案に係るベースボール風グランドゴルフ用具セットの全構成を示す説明図である。
該ベースボール風グランドゴルフ用具セットは、バット１０と、ホール２０と、ボール３０と、から構成され、必要に応じてティ４０も該構成に組み合わされる。
【００１８】
バット１０は、ベースボール用バットとして使用されているものを、本考案用に適宜加工することによって得られる。既存のベースボール用バットは、把持部１１と打撃部１２とを備える種々独特の所定形状を有しており、どの形状のものを本考案用に加工するも構わない。例えば、既存のベースボール用バットとして、全長７５０ｍｍ、先端打撃部長さ１６０ｍｍ、後端把持部長さ２２０ｍｍ、先端径６０ｍｍ、後端径５０ｍｍ、把持部径３５ｍｍのものを使用することが考え得る。
【００１９】
かかるベースボール用バットの打撃部１２を構成する先端部の所定側面箇所について、図１乃至図２に示すように、先端から所定長さ・幅及び深さだけ切り欠いて平面部１３を形成することで、本考案にかかるバット１は構成される。
なお、上記寸法の既存ベースボール用バットを使用する場合を例にすれば、例えば先端から８０〜１６０ｍｍ、幅３５〜５０ｍｍ、深さ５〜２０ｍｍほど切り欠くことで、前記平面部１３が形成されることとなる。
【００２０】
本考案にかかるバット１０の材質については、特に限定はなく、金属製や木製、プラスチック等の樹脂製など種々考え得るが、既存ベースボール用バットを加工すれば足りること等に鑑みると、木製とすることが望ましい。
なお、既存ベースボール用バットを加工するのではなく、当初から本考案用にバット１０を作製することも可能であることは、言うまでもない。
【００２１】
ところで、前記平面部１３について、図２（ａ）に示すように、エポキシ樹脂Ｅがコーティングされている態様が考え得る。かかるエポキシ樹脂Ｅをコーティングすることによって、後述するボール３０を平面部１３で打撃する際に該平面部１３の破損防止効果を奏するとともに、衝撃緩和作用を発揮することとなる。
【００２２】
さらに、図２（ｂ）に示すように、前記平面部１３における先端部所定範囲が、強化プラスチックＰにより被覆されている態様も考え得る。かかる強化プラスチックＰを被覆することで、エポキシ樹脂Ｅ同様、ボール３０を平面部１３で打撃する際に該平面部１３の破損防止効果を奏するとともに、ボール３０の打撃による飛距離向上にも資することとなる。
【００２３】
ホール２０は、図１及び図３に示すように、略円形若しくは多角形を成す底面板２１の周辺に、上方内側斜め方向へ略軟質の返し部２２が設けられた構成となっている。かかる返し部２２を設けることで、該ホール２０にボール３０がホールインした場合に、該返し部２２がボール３０の逆止作用を発揮することとなる。
かかるホール２０の径幅は、特に限定はないが、例えば２５ｍｍや２０ｍｍ、１５ｍｍ等種々のパターンが考えられ、径幅が小さくなればなるほど、難易度は増すこととなる。
【００２４】
本考案にかかるホール２０の材質については、特に限定はないが、ゴムなどの略軟質の樹脂製とすることが好ましく、さらには、底面板２１及び返し部２２を一体的に成型することが望ましい。
【００２５】
ところで、前記ホール２０には、図示されているように、上方鉛直方向へポール２３が立設されている態様が考えられ、ホール２０の位置を明示する作用効果を奏する。なお図３では、該ポール２３について、底面板２１の略中心位置から上方鉛直方向に立設した場合について示しているが、該ポール２３の立設位置については特に限定するものではない。
また、図１に示すように、該ポール２３の上端部には、ホールナンバーを表示する旗部２４が備えられていることが望ましい。
【００２６】
ボール３０は、略球形であって、木製・樹脂製・金属製など、任意の素材により成形される。かかる成形材質により、ボール３０の硬質・軟質が決定されたり、飛距離が決定される。したがって、プレイヤーの年齢層やプレイグランドの広さ等、ボール３０の飛距離を考慮して自由に選択可能とする。また、硬式テニスボールや硬式野球のボール、軟式野球のボールなど、既存スポーツのボールをそのまま利用して代用することも可能である。
【００２７】
なお、該ボール３０の大きさについては、特に限定するものではないが、例えば直径３．５〜７．５ｃｍの範囲において任意に決定可能とする規格が考え得る。
【００２８】
ティ４０は、前記ボール３０を前記バット１０で打つ際に該ボール３０を載置するためのものであって、図１に示すように、台座４１の略中心位置から上方鉛直方向に軸棒４２が延設され、該軸棒４２の上端に載置部４３が備えられた構成となっている。該載置部４３にボール３０を載置することで、プレイヤーは所定高さ位置にて該ボール３０をバット１０で打つことが可能となる。
【００２９】
台座４１は、ティ４０が安定して立設するとともに、打撃後にティ４０が転倒することの無いよう、金属製等から成り、所要重量を有した安定性を備える。
また、軸棒４２は、ティ４０の安定立設並びに打撃時の衝撃吸収を可能にすべく、金属製や樹脂製等から成り、バネ構造を採用するなどして、一定の剛性を備えつつ柔軟性をも備える。
さらに、載置部４３は、ボール３０の安定載置並びに打撃時の衝撃吸収を可能にすべく、ゴムなどの樹脂製から成り、一定の剛性を備えつつ柔軟性をも備える。
【００３０】
なお、該ティ４０の高さについては、特に限定するものではなく、例えば５０〜１００ｃｍの高さが考えられ、プレイヤーの身長等に合わせて任意に設定・選択可能である。
【００３１】
本考案にかかるベースボール風グランドゴルフ用具セットは、以上のバット１０、ホール２０、ボール３０並びにティ４０の各用具で構成されるが、それらの使用態様は次の通りである。
すなわち、所定の位置に前記ホール２０を設置した状態において、プレイヤーが所定打席Ｂから前記バット１０を使って該ホール２０に向けて前記ボール３０を打つことで、該ホール２０にボール３０をホールインさせることで、本考案のプレイの態様を構成する。そして、何打でホールインさせることができるか、その打数をプレイヤーは競うこととなる。
【００３２】
打席Ｂからバット１０でボール３０を打つ際は、図４（ａ）に示すように、ティ４０を使用し、バット１０の平面部１３とは反対側の打撃部１２でボール３０を打つ、ベースボールの打撃スタイルと同じ打撃スタイルや、あるいは、図４（ｂ）に示すように、地面に置かれたボール３０をバット１０の平面部１３を使って転がすように打つ、ゴルフのパッティングスタイルと同じ打撃スタイルが可能である。また、図示はしていないが、ベースボールのノック形式と同様に、自らボール３０をトスアップしてバット１０の打撃部１２で該ボール３０打つスタイルも可能である。
このとき、ティ４０使用あるいはノック形式の打撃スタイルであれば飛距離重視の打撃となり、地面を転がす場合は方向性重視の打撃となる。
【００３３】
本考案にかかるベースボール風グランドゴルフ用具セットのグランドセッティングについて、具体的にはホール２０位置と打席Ｂ位置の設定については、特に限定するものではなく、使用グランドの全体大きさ等に合わせ、任意に設定可能である。
【００３４】
かかるグランドセッティングについて、図５に示すように、ベースボールグランドを使用・応用したグランドセッティングが考え得る。すなわち、ベースボールグランドの各ベース位置にホール２０及び打席Ｂをセッティングする態様である。このとき、各ベース位置だけでなく、外野スペースの任意の位置にホール２０を一乃至複数設置する態様も考え得る。
【００３５】
ところで、本考案にかかるベースボール風グランドゴルフ用具セットを使用したプレイスタイルについて、特に限定するものではないが、ベースボールグランドを使用・応用したグランドセッティングを行った場合のプレイスタイルについて、その一例を例示する。
（１）まず、プレイヤーの人数について限定はなく、一人でも楽しむことができるが、競技説明上、複数のプレイヤーによるプレイについて説明する。
（２）ベースボールグランドの各ベース位置にホール２０及び打席Ｂをセッティングするとともに、外野スペースのレフト側・ライト側・センター側に夫々ホームベースからの距離を変えてホール２０をセッティングする。
（３）一のプレイヤーがホームベースにある打席Ｂから一塁ベースにあるホール２０を狙い、バット１０でボール３０を打つ。このとき、一打目でホールインしなかった場合は、ボール３０の転がった先から同ホール２０を狙って二打目を打ち、最終的にホールインするまで打撃を行う。
（４）一のプレイヤーがホールインした後、次のプレイヤーが同様に一塁ベースにあるホール２０目掛けてプレイを行う。そして、全プレイヤーが同様にプレイ終了後、一塁ベースにある打席Ｂから今度は二塁ベースにあるホール２０を狙い、同様にプレイを行う。
（５）二塁の次は三塁、三塁の次はホームベースと、同様にプレイを行った後、今度はホームベースにある打席Ｂからレフト側外野スペースにセッティングされているホール２０を狙って、同様にプレイを行う。その後、同様にホームベースにある打席Ｂからライト側及びセンター側に夫々セッティングされているホール２０を狙って、同様にプレイを行う。
（６）最終的に全ホール２０へのプレイが完了した時点で、プレイは終了する。
【００３６】
上記プレイにおける勝者決定に際しては、全ホール２０に対する打数を点数として加算し、加算された点数の一番少ないプレイヤーすなわち全打数の一番少ないプレイヤーが優勝若しくは勝者となる。
なお、点数の付け方については、上記打数加算方式のほか、種々のパターンが考えられる。例えば、ゴルフのように各ホール２０ごとＰＡＲ数を予め設定し、該ＰＡＲ数に対してプラス／マイナスをカウントするパターンや、ホールイン打数による点数を予め設定しておき（例えば一打目でホールインは１０点、二打目は８点、三打目は５点、四打目は１点、五打目以降は０点等）、点数を加算してより多くの点数を取ったプレイヤーを勝者とするパターン、さらに外野スペースにセッティングされたホール２０については、ホームベースからの距離に応じて点数を２〜４倍とするパターンなど、種々考え得る。
【符号の説明】
【００３７】
１０    バット
１１    把持部
１２    先端部（打撃部）
１３    平面部
２０    ホール
２１    底面板
２２    返し部
２３    ポール
２４    旗部
３０    ボール
４０    ティ
４１    台座
４２    軸棒
４３    載置部
Ｂ    打席
Ｅ    エポキシ樹脂
Ｐ    強化プラスチック
【図１】
0003173313.tif 000003
【図２】
0003173313.tif 000004
【図３】
0003173313.tif 000005
【図４】
0003173313.tif 000006
【図５】
0003173313.tif 000007